(57)【要約】【課題】論理アドレスをコントローラに設定する際の手間や時間を低減するとともに、照明器具の接続方向を問わず、低コストな照明制御システムを提供することにある。【解決手段】照明制御システムは、個別の論理アドレスが割り当てられた複数の照明器具２と、制御命令含む伝送信号を送信して照明器具２を制御するコントローラとが、伝送線Ｌを介してわたり配線されている。各照明器具２は、伝送線Ｌがわたり配線される接続端子２６ａ、２６ｂを短絡又は開放することにより、わたり配線形式とバス型配線形式とに切り替える配線切替部２７とを有する。設定時は、わたり配線形式に切り替え、コントローラ１からの要求信号を受信すると、コントローラ１へ論理アドレスを送信するとともに、伝送線Ｌをバス型配線形式に切り替え、以降は受信した要求信号に応答しない。【選択図】図１
2011096415.tif 000002
【特許請求の範囲】
【請求項１】
個別の論理アドレスが割り当てられた複数の照明器具と、前記照明器具の論理アドレス及び制御命令を含む伝送信号を送信して前記複数の照明器具を制御するコントローラとが伝送線を介してわたり配線され、各照明器具は、前記伝送線がわたり配線される第１、第２の接続端子と、第１、第２の接続端子間を短絡又は開放することにより、わたり配線形式とバス型配線形式とに切り替える切替手段と、第１、第２の接続端子から整流手段を介して入力される伝送振動を受信する受信手段と、自身の論理アドレスを含む設定信号を前記コントローラに送信する送信手段とを有し、
各前記照明器具は、設定時には、前記切替手段により前記伝送線がわたり配線形式に切り替えられ、前記受信手段により前記コントローラから論理アドレスを要求する要求信号を受信すると、前記送信手段により前記コントローラへ前記設定信号を送信するとともに、前記切替手段により伝送線をバス型配線形式に切り替え、以降は受信した要求信号には応答しないことを特徴する照明制御システム。
【請求項２】
前記照明器具は、前記設定信号を送信した後、予め設定された所定の点灯動作を行うことを特徴とする請求項１記載の照明制御システム。
【請求項３】
前記コントローラは、前記要求信号を送信した後、所定の受信待ち期間内に前記設定信号を受信しない場合には、前記照明器具の論理アドレスの取得を収集する処理を終了することを特徴とする請求項１または２の何れか一項に記載の照明制御システム。
【請求項４】
前記コントローラは、前記照明器具の論理アドレスを収集する処理を終了した際に、前記照明器具を点灯させる前記伝送信号を送信することを特徴とする請求項１〜３の何れか一項に記載の照明制御システム。
【発明の詳細な説明】
【技術分野】
【０００１】
本発明は、照明制御システムに関するものである。
【背景技術】
【０００２】
従来より、それぞれ個別の論理アドレスを割り当てられた複数の照明器具と、複数の照明器具と伝送線を介して接続されたコントローラからなる照明制御システムがあり、タイムスケジュール、スイッチ操作、センサ入力などに応じて、コントローラが制御対象となる照明器具の論理アドレスを含む伝送信号を送信することで、その論理アドレスが割り当てられた照明器具の点灯・消灯・調光レベルの変更といった制御が行われる。
【０００３】
この種の照明制御システムにおいては、各照明器具に割り当てられた論理アドレスをコントローラに予め設定しておく必要があり、例えば、照明器具に論理アドレスを明記したシールを貼るなどして照明器具の論理アドレスを施工者が把握できるようにし、論理アドレスと施工場所との関係が図示された施工図面に基づいて施工者が照明器具を配設した後、コントローラにリモコン等を用いて各照明器具の論理アドレスを設定するといった方法が考えられる。
【０００４】
このようにすれば、各照明器具はコントローラからの伝送信号が受信できれば良いので、比較的安価なＣＰＵを用いることが可能であるが、照明器具に割り当てられた論理アドレスの管理、論理アドレスを明記したシールなどの貼り付けなどの管理コストや、施工図面の作成及び施工時論理アドレスの確認に手間がかかっていた。
【０００５】
他に論理アドレスをコントローラに予め設定する方法として、コントローラが各照明器具に対して論理アドレスを要求する要求信号を出力し、各照明器具が要求信号に応じて自身の論理アドレスをコントローラに送信することでコントローラが全ての照明器具の論理アドレスを取得する方法が考えられる。
【０００６】
このようにすれば、施工者の手間は大幅に低減されるが、コントローラの要求信号に応じて全ての照明器具が一斉に論理アドレスを送信すると、通信ライン上で論理アドレスを含む信号が壊れたり、信号の波形が変形して、コントローラが誤った論理アドレスを取得するという可能性があった。これの回避方法としては、各照明器具がキャリアセンスを実行して論理アドレスを送信する方法が考えられるが、キャリアセンスを実行するためには、各照明器具に高価なＣＰＵを搭載する必要があり、製造コストが高くなるという問題がある。また、他の回避方法として、各照明器具にリモコン受信部を設け、リモコンからの操作信号に応じて論理アドレスを送信する方法も考えられるが、全ての照明器具にリモコン受信部を設けると製造コストが高くなるとともに、施工者が全ての照明器具に対してリモコンにより操作する必要があるため、照明制御システムの規模が大きく、照明器具の数が多くなると、施工にかかる手間が非常に大きくなってしまうという問題もあった。
【０００７】
そこで、各照明器具及びコントローラをわたり配線により接続した照明制御システムが考えられている（例えば、特許文献１を参照）。この照明制御システムでは、コントローラから送信された、論理アドレスを要求する要求信号を照明器具が受信すると、照明器具は自身の論理アドレスをコントローラに送信するとともに、信号が入力された側とは逆側に接続されている照明器具に対して要求信号を送信する。このとき、照明器具は、受信した要求信号に含まれる物理アドレスを１だけ加算して次の照明器具に送信するとともに、コントローラに論理アドレスを送信する際に物理アドレス情報を含めることで、コントローラは、物理アドレスと論理アドレスをマッピングして保持することができる。
【先行技術文献】
【特許文献】
【０００８】
【特許文献１】特許第３６４８５８２号
【発明の概要】
【発明が解決しようとする課題】
【０００９】
しかしながら、上述のような照明器具をわたり配線して論理アドレスを取得する照明制御システムでは、各照明器具にコントローラに論理アドレスを送信するための送信手段とは別に、次の照明器具に要求信号を送信するための送信手段が必要であり、製造コストが高くなるという問題があった。また、信号の送信方向が決まっているので、照明器具の設置方向が物理的に決まることとなり、施工時に照明器具の向きを逐一確認しながら設置する必要があり、施工にかかる手間が大きいという問題があった。また、コントローラが論理アドレスを取得した後、照明器具の点灯・消灯などの操作を行う伝送信号を送信した場合には、各照明器具がわたり配線により配線されているので、照明器具毎に伝送信号を受信・送信することによる遅延が発生するという問題もあった。
【００１０】
本発明は、上記事由に鑑みて為されたものであり、その目的とするところは、論理アドレスをコントローラに設定する際の手間や時間を低減するとともに、照明器具の接続方向を問わず、低コストな照明制御システムを提供することにある。
【課題を解決するための手段】
【００１１】
上記目的を達成するために、請求項１の発明では、個別の論理アドレスが割り当てられた複数の照明器具と、前記照明器具の論理アドレス及び制御命令を含む伝送信号を送信して前記複数の照明器具を制御するコントローラとが伝送線を介してわたり配線され、各照明器具は、前記伝送線がわたり配線される第１、第２の接続端子と、第１、第２の接続端子間を短絡又は開放することにより、わたり配線形式とバス型配線形式とに切り替える切替手段と、第１、第２の接続端子から整流手段を介して入力される伝送振動を受信する受信手段と、自身の論理アドレスを含む設定信号を前記コントローラに送信する送信手段とを有し、各前記照明器具は、設定時には、前記切替手段により前記伝送線がわたり配線形式に切り替えられ、前記受信手段により前記コントローラから論理アドレスを要求する要求信号を受信すると、前記送信手段により前記コントローラへ前記設定信号を送信するとともに、前記切替手段により伝送線をバス型配線形式に切り替え、以降は受信した要求信号には応答しないことを特徴する。
【００１２】
請求項２の発明では、請求項１記載の発明において、前記照明器具は、前記設定信号を送信した後、予め設定された所定の点灯動作を行うことを特徴とする。
【００１３】
請求項３の発明では、請求項１または２の何れか一項に記載の発明において、前記コントローラは、前記要求信号を送信した後、所定の受信待ち期間内に前記設定信号を受信しない場合には、前記照明器具の論理アドレスの取得を収集する処理を終了することを特徴とする。
【００１４】
請求項４の発明では、請求項１〜３の何れかの発明において、前記コントローラは、前記照明器具の論理アドレスを収集する処理を終了した際に、前記照明器具を点灯させる前記伝送信号を送信することを特徴とする。
【発明の効果】
【００１５】
請求項１の発明によれば、照明器具がわたり配線により配線されている状態で要求信号を受信すると、自身の論理アドレスを含む設定信号を送信し、バス型配線形式に切り替え、以降に受信する要求信号に応答しないことで、各照明器具は論理アドレスを順次に送信することができ、論理アドレスを含む設定信号が壊れて、不正な論理アドレスをコントローラが取得することを回避できる。また、論理アドレスを取得後は、バス型配線により各照明器具が接続されるので、コントローラから送信された伝送信号の遅延を低減することができる。さらに、整流素子により照明器具の何れの側から伝送信号が入力されても、照明器具は正しく伝送信号を受信できるので、照明器具の取り付け方向に制限が無くなり、施工が容易に出来る。
【００１６】
請求項２の発明によれば、照明器具が論理アドレスを送信した際に所定の調光動作を行うことにより、どの照明器具が論理アドレスをコントローラに送信したかを施工者が判断することができ、断線などの施工時の問題を把握しやすくすることができる。
【００１７】
請求項３の発明によれば、コントローラが要求信号を送信後、所定の時間内に設定信号が受信されなければ、要求信号の送信を停止するので、自動的に論理アドレスの取得を終了でき、施工者の施工手間を低減することができる。
【００１８】
請求項４の発明によれば、コントローラが全ての照明器具の論理アドレスを取得すると、全ての照明器具を点灯させるので、論理アドレスの取得が正常に完了したことを容易に把握することができ、施工者の手間を低減することができる。
【図面の簡単な説明】
【００１９】
【図１】実施の形態１にかかる照明制御システムの構成を示す概略図である。
【図２】同照明制御システムを示す概略ブロック図である。
【図３】同照明制御システムを示す概略ブロック図である。
【図４】同照明制御システムにおける初期設定を行う際のフロチャートであり、（ａ）はコントローラ、（ｂ）は照明器具の動作を示している。
【図５】実施の形態２にかかる照明制御システムを示す概略ブロック図である。
【図６】実施の形態３にかかる照明制御システムの要部を示す概略ブロック図である。
【発明を実施するための形態】
【００２０】
以下に本発明の実施の形態を図面に基づいて説明する。
【００２１】
（実施の形態１）
本実施の形態にかかる照明制御システムは、図１に示すように、コントローラ１と複数台の照明器具２（２ａ…２ｎ）とが、伝送線Ｌを介してわたり配線により接続されている。また、コントローラ１を遠隔操作するためのリモコン３を備える。
【００２２】
コントローラ１は、図２に示すとおり、コントローラ１全体の動作を統括的に制御するマイコンからなる制御部１１と、例えば揮発性のＳＲＡＭからなるメモリ１２と、リモコン３からの操作信号を受信するリモコン受信部１３と、伝送線Ｌを介して各照明器具２との間で信号の授受を行う信号送受信部１４とを備える。
【００２３】
コントローラ１は、その動作モードとして、接続されている照明器具２の論理アドレスを取得する設定モードと、リモコン３の操作信号などに基づいて、照明器具２の点灯・消灯・調光レベルの制御を行う通常モードとを有する。
【００２４】
メモリ１２には、制御部１１によって、各照明器具２に割り当てられた論理アドレスが書き込まれ、制御部１１が必要に応じて論理アドレスの読み出しを行う。
【００２５】
リモコン受光部１３は、リモコン３からの操作信号を受信して制御部１１に出力する。操作信号としては、コントローラ１の動作モードを変更する命令や、照明器具２の点灯・消灯・調光レベルの変更などを一括して操作させる命令などが含まれている。なお、リモコン３及びリモコン受光部１３については、既知の技術であるので詳細な説明は省略する。
【００２６】
信号送受信部１４は、制御部１１からの制御信号を変調して伝送信号として信号線Ｌに出力するとともに、信号線Ｌを介して入力される伝送信号を復調して制御部１１に出力する。ここで、伝送信号としては、各照明器具２に論理アドレスの要求を開始する設定開始命令、論理アドレスを要求するアドレス要求命令、論理アドレスの要求を終了する設定終了命令、照明器具の点灯・消灯・調光レベルの変更を行う制御命令などの各種命令が含まれている。
【００２７】
照明器具２は、図２及び図３に示すとおり、照明器具２全体の動作を統括的に制御するマイコンからなる制御部２１と、例えば揮発性のＳＲＡＭからなるメモリ２２と、光源となるランプ２５に点灯出力を行う点灯回路２３と、伝送線Ｌを介して各照明器具２との間で信号の授受を行う信号送受信部２４とを備える。また照明器具２は、２本の信号線Ｌ、Ｌが接続端子２６ａ、２６ｂに接続されており、隣り合うコントローラ１又は照明器具２との間でわたり配線により接続されている。また照明器具２は、接続端子２６ａ、２６ｂとの間を短絡または開放する配線切替部２７と、接続端子２６ａ、２６ｂから入力される伝送信号を整流し、信号送受信部２４に出力する整流部２８ａ、２８ｂとを備える。なお、点灯回路２３が点灯出力を行う光源としてはランプ２５に限るものではなく、例えばＬＥＤなどを光源として用いてもよい。
【００２８】
また照明器具２は、その動作モードとして、コントローラ１からの制御命令に応じて点灯・消灯・調光レベルの調整を行う通常モード、アドレス要求命令に応じて自身の論理アドレスを送信する設定モード、及び、設定終了命令が入力されるまで待機する無視モードとを有する。
【００２９】
メモリ２２には、照明器具の論理アドレスが予め記憶されており、制御部２１が必要に応じて読み出しを行う。この論理アドレスは、各照明器具２ａ…２ｎの間で重複しない値に設定されている。
【００３０】
信号送受信部２４は、図５に示すように整流部２８（２８ａ、２８ｂ）を介して入力される伝送信号を受信する受信部２４ａと、制御部２１から出力される伝送信号を信号線Ｌを介してコントローラ１に送信する送信部２４ｂとを備える。受信部２４ａは、受信した伝送信号に含まれる論理アドレスが、自身の論理アドレスを対象としたものであるかを判断し、自身の論理アドレスが対象となっていれば、この伝送信号に含まれる各種命令を制御部２１に出力する。また送信部２４ｂは、制御部２１が出力する各種情報とともに、自機に割り当てられている論理アドレスを含めて送信を行う。
【００３１】
配線切替部２７は、例えばトランジスタのようなスイッチング素子からなり、制御部２１からの信号に応じて、接続端子２６ａ、２６ｂ間を短絡または開放している。これにより、照明器具２は、配線切替部２７が接続端子２６ａ、２６ｂ間を短絡することで、わたり配線からバス型配線に切り替わり、接続端子２６ａ、２６ｂ間を開放すると、バス型配線からわたり配線に切り替わる。これにより、配線切替部２７が短絡することで、一方の伝送線Ｌから送られてきた伝送信号は、他方の伝送線Ｌに接続された照明器具も送られることとなる。
【００３２】
整流部２８ａ、２８ｂは、例えばダイオードなどの整流素子であり、接続端子２６ａ、２６ｂから受信部２４ａに向けて伝送信号が流れるように設定されている。
【００３３】
ここで、この照明制御システムの初期設定として、コントローラ１が各照明器具２の論理アドレスを取得する方法について図４（ａ）、（ｂ）を用いて説明を行う。ここで、初期状態として、その動作モードは通常モードに設定されており、各照明器具２の配線切替部２７はオン状態であり、バス型配線により各照明器具２が接続されている。
【００３４】
まず、使用者がリモコン３を用いてコントローラ１の動作モードを設定モードに移行させる命令を含む操作信号を出力する。この操作信号をリモコン受信部１３が受信すると（図４（ａ）のステップＳ１）、制御部１１に操作信号が入力され、制御部１１はコントローラ１の動作モードを設定モードに移行する（ステップＳ２）。設定モードに移行すると、制御部１１は、信号送受信部１４を介して伝送線Ｌに設定開始命令を含む伝送信号を出力する。この伝送信号は、各照明器具２の配線切替部２７が閉じているので、接続された全ての照明器具２ａ〜２ｎに一斉に送信される（ステップＳ３）。
【００３５】
一方、照明器具２は、設定開始命令を受信すると（図４（ｂ）のステップＳ２１）、その動作モードを設定モードに移行し（ステップＳ２２）、制御部２１が配線切替部２７をオフ制御して接続端子２６ａ、２６ｂ間を開放する（ステップＳ２３）。これにより、各照明器具２は、わたり配線となるので、これ以降コントローラ１から送信される伝送信号は、コントローラ１に最も近い照明器具２ａのみ受信することとなる。
【００３６】
次に、コントローラ１は、アドレス要求命令を含む伝送信号を伝送線Ｌに送信する（ステップＳ４）。この伝送信号は、照明器具２ａの配線接続部２７がオフ状態であるので、照明器具２ａにのみ入力される。照明器具２ａは、この伝送信号を受信すると（ステップＳ２４のＹｅｓ）、制御部２１が配線接続部２７をオン制御して、接続端子２６ａ、２６ｂ間を短絡する（ステップＳ２５）。その後、制御部２１が論理アドレスをメモリ２２から読み出して、送信部２４ｂを介して伝送線Ｌに論理アドレスを含む伝送信号を出力する（ステップＳ２６）。また制御部２１は、照明器具２ａの動作モードを無視モードに切り替え、点灯手段２３を介してランプ２５の点灯状態を制御する（ステップ２８）。なお、ランプ２５の点灯状態としては、例えば所定の調光レベルで点灯や、点滅させることが考えられ、アドレスの登録が完了したことを使用者が視覚的に認識できれば良い。一方、照明器具２ｂ〜２ｎには、ステップＳ３で送信されたアドレス要求命令を含む伝送信号が入力されないので（ステップＳ２４のＮｏ）、配線接続部２７がオフ状態のまま、設定モードを継続する。
【００３７】
コントローラ１は、照明器具２ａから論理アドレスを受信すると（ステップＳ５のＹｅｓ）、制御部１１がメモリ１２に論理アドレスを記憶させ（ステップＳ６）、アドレス要求命令を含む伝送信号を再び伝送線Ｌに送信する（ステップＳ４）。この伝送信号は、照明器具２ａの配線切替部２７がオン状態、照明器具２ｂの配線切替部２７がオフ状態であるので、照明器具２ａ及び照明器具２ｂのみ受信することとなる。ここで、照明器具２ａは、その動作モードが無視モードに設定されているので、アドレス要求命令を含む伝送信号に応答せず、無視モードを継続する。一方、照明器具２ｂは、その動作モードが設定モードに設定されているので、この伝送信号に応じて、配線切替部２７をオン状態にした後、論理アドレスをコントローラ１に送信する（ステップＳ２４〜Ｓ８）。
【００３８】
この動作を繰り返し行うことで、照明器具２ａ〜２ｎの論理アドレスは順次、コントローラ１に送信され、コントローラ１のメモリ１４に全ての照明器具２の論理アドレスと、物理アドレスが対応付けて記憶される。
【００３９】
全ての照明器具２の論理アドレスを受信後、コントローラ１はアドレス要求命令を含む伝送信号を信号線Ｌに送信するが（ステップＳ４）、全ての照明器具２の動作モードが無視モードに設定されているので、コントローラ１は所定の時間を経過しても論理アドレスを含む伝送信号を受信せず（ステップＳ５のＮｏ及びステップＳ７のＹｅｓ）、設定終了命令を含む伝送信号を伝送線Ｌに出力する（ステップＳ８）。この制御命令は、全ての照明器具２の配線切替部２７がオン状態であるので、全ての照明器具２が受信し（ステップＳ２９のＹｅｓ）、照明器具２はその動作モードを無視モードから、通常モードに移行する。またコントローラ１は、その動作モードを設定モードから通常モードに移行する。
【００４０】
このようにして、コントローラ１は、伝送線Ｌを介してわたり配線された全ての照明器具２ａ…２ｎの論理アドレスを取得することができ、各照明器具２の配線切替部２７はオン状態であるので、点灯、消灯、調光レベルの変更などの命令を含む伝送信号を信号線Ｌを介して全ての照明器具２に一斉送信することができる。
【００４１】
また、何らかの異常により照明器具２の論理アドレスの取得が途中で止まった場合でも、論理アドレスを正しく送信した照明器具２は所定の点灯状態になっているので、施工者が問題となっている箇所を把握することが容易となる。
【００４２】
また、コントローラ１は、記憶した論理アドレスの総数から、接続された照明器具の台数を知ることが出来るので、例えば、照明器具２を安全に制御可能な台数を超えていた場合に、特定の照明器具を点滅させるなどして周囲に知らせることができる。
（実施の形態２）
本実施の形態にかかる照明制御システムのコントローラ１は、図５に示すように、２本の信号線Ｌ、Ｌが接続端子１５ａ、１５ｂに接続されており、隣り合う照明器具２との間でわたり配線により接続されている。またコントローラ１は、接続端子１５ａ、１５ｂとの間を短絡または開放する配線切替部１６と、接続端子１５ａ、１５ｂから入力される伝送信号を整流して信号送受信部１４に出力する整流部１７ａ、１７ｂとを備える。この点を除いては、実施の形態１と同様の構成であるので共通する構成要素には同一の符号を付してその説明は省略する。
【００４３】
接続端子１５ａ、１５ｂ、配線切替部１６、及び、整流部１７ａ、１７ｂは、実施の形態１における照明器具２の接続端子２６ａ、２６ｂ、配線切替部２７、及び、整流部２８ａ、２８ｂにそれぞれ対応し、コントローラ１の配線方式をわたり配線からバス型配線に切り替える。
【００４４】
この照明制御システムの初期設定として、コントローラ１が各照明器具２の論理アドレスを取得する場合には、まず、コントローラ１の配線切替部１６をオン状態にて設定開始命令を含む伝送信号を送信し（図４（ａ）のステップＳ３）、その後アドレス要求命令を含む伝送信号を送信するまでに（図４（ａ）のステップＳ３とステップＳ４との間）、配線切替部１６をオフ状態にする。これにより、２本の伝送線Ｌ、Ｌのうち、一方にのみ伝送信号が送信されるので、一方の伝送線Ｌに接続された照明器具２の論理アドレスを取得することが出来る。
【００４５】
その後、照明器具２から論理アドレスを含む伝送信号が所定の期間入力されなくなると、制御部１１は配線切替部１６をオン状態に変更して、再度アドレス要求信号の送信を開始する。これにより、２本の伝送線Ｌ、Ｌの両方に伝送信号が送信されるが、一方側に接続された照明器具２は全て動作モードが無視モードに設定されているので、他方側に接続された照明器具２の論理アドレスが取得できるようになる。
【００４６】
これにより、コントローラ１は、照明器具２との位置関係を考慮することなく配置することができる。
（実施の形態３）
本実施の形態にかかる照明制御システムの照明器具２は、図６に示すように、配線切替部２７として、接続端子２６ａ及び信号送受信部２４の間を短絡または開放するスイッチ２７ａと、接続端子２６ｂ及び信号送受信部２４の間を短絡または開放するスイッチ２７ｂとを備える。この点を除いては、実施の形態１と同様の構成であるので共通する構成要素には同一の符号を付してその説明は省略する。
【００４７】
この照明制御システムの初期設定として、コントローラ１が各照明器具２の論理アドレスを取得する際、コントローラ１から設定開始命令を含む伝送信号を各照明器具２が受信すると、各照明器具２は、動作モードを設定モードに移行し、各スイッチ２７ａ、２７ｂをオフ状態に設定する。これにより、各照明器具２は、わたり配線となるので、これ以降コントローラ１から送信される伝送信号は、コントローラ１に最も近い照明器具２ａのみ受信することとなる。
【００４８】
その後、コントローラ１からアドレス要求命令を含む伝送信号は、照明器具２ａの整流部２８ａ、２８ｂの何れかを介して信号送受信部２４に入力され、照明器具２は、この伝送信号に応じて、スイッチ２７ａ、２７ｂをオン状態に設定し、自機の論理アドレスを含む伝送信号を信号送受信部２４が送信するとともに、自機の動作モードを無視モードに移行する。スイッチ２７ａ、２７ｂがオン状態になることで、コントローラ１から送信された伝送信号は、照明器具２ａと、次の照明器具２ｂが受信することとなるが、照明器具２ａは無視モードに設定されているので、論理アドレスの送信を行うことはなく、照明器具２ｂがアドレス要求命令を含む伝送信号に応じて論理アドレスを送信する。これを繰り返すことで、全ての照明器具２ａ…２ｎの論理アドレスをコントローラ１は受信して、記憶することができる。
【００４９】
また、初期設定完了後は、各スイッチ２７ａ、２７ｂをオン状態に設定されるので、コントローラ１が送信した、制御命令を含む伝送信号は、一斉に各照明器具２に送信されることとなり、各照明器具２は、制御命令に応じた点灯、消灯、調光レベルの変更をタイムラグを発生することなく行うことができる。
【符号の説明】
【００５０】
１              コントローラ
１１            制御部
１２            メモリ
１３            リモコン受信部
１４            信号送受信部
１４ａ        受信部
１４ｂ        送信部
２、２ａ…２ｎ  照明器具
２１            制御部
２２            メモリ
２３            点灯回路
２４            信号送受信部
２４ａ        受信部
２４ｂ        送信部
２５            ランプ
２６ａ、２６ｂ  接続端子
２７            配線切替部（切替手段）
２８ａ、２８ｂ  整流部（整流手段）
Ｌ              信号線（伝送線）
【図１】
2011096415.tif 000003
【図２】
2011096415.tif 000004
【図３】
2011096415.tif 000005
【図４】
2011096415.tif 000006
【図５】
2011096415.tif 000007
【図６】
2011096415.tif 000008